(57)【要約】      （修正有）【課題】  竪型射出成形機において、使い勝手がよく且つ回転止めを強化し得る操作盤の取付け構造を提供することを課題とする。【解決手段】  図（ａ）における操作盤１５は前面が基台１１の前辺１６に揃っている。この操作盤１５の位置を第１ポジションと呼ぶ。必要があれば、摘み付きボルト２６を外して、矢印のごとく操作盤１５を反時計方向に旋回させる。（ｂ）における操作盤１５は前面が基台１１の右辺１８に揃っている。この操作盤１５の位置を第２ポジションと呼ぶ。そして、摘み付きボルト２６を取付ける。【効果】  操作盤の前面が基台の前辺もしくは側辺に揃えば、作業者が操作盤に接触する心配がなくなる。また、第１ポジションと第２ポジションを選択することができ、竪型射出成形機の使い勝手を向上させることができる。各ポジションにて摘み付きボルトで旋回板を基台に固定することで、回転止めを図る。【選択図】      図５
2007069481.tif 000002
【特許請求の範囲】
【請求項１】
基台に操作盤及び金型を縦方向に開閉するための型締装置を配置した竪型射出成形機において、
前記操作盤の前面が、基台の前辺に揃う位置を第１ポジションと呼び、基台の左辺又は右辺からなる側辺に揃う位置を第２ポジションと呼ぶときに、前記基台に水平旋回自在に旋回板を取付け、この旋回板に前記操作盤を載せることで、操作盤を前記第１ポジションから第２ポジションまで往復移動させることができるようにしたことを特徴とする竪型射出成形機。
【請求項２】
前記旋回板の旋回中心は、前記基台の隅に設けると共に基台の前辺からの距離と基台の側辺からの距離とを同一に設定したことを特徴とする請求項１記載の竪型射出成形機。
【請求項３】
前記旋回板の旋回中心に、配線を通すことができる第１大径穴を設け、前記基台にも配線を通すことができる第２大径穴を設けたことを特徴とする請求項１又は請求項２記載の竪型射出成形機。
【請求項４】
前記旋回板は、リング部材で基台に旋回自在に取付け、このリング部材に配線を通すことができる第３大径穴を設けるとともに、リング部材は前記操作盤の底に当たらないように旋回板に埋設したことを特徴する請求項３記載の竪型射出成形機。
【請求項５】
前記操作盤で塞がれない位置まで前記旋回板から張出部を張出し、この張出部に摘み付きボルトを取付け、この摘み付きボルトを基台上面に設けた複数個の雌ねじ部の一つにねじ込めるようにしたことを特徴とする請求項１〜４のいずれか１項記載の竪型射出成形機。
【請求項６】
竪型射出成形機又は横型射出成形機の基台に、操作盤などの備品を旋回移動可能に取り付けるときに用いる射出成形機用旋回板において、
この旋回板は、旋回中心に上部が大径穴で下部が小径孔である段付き穴を有し、前記大径穴に対応する大径部及び前記小径穴に対応する小径部を有するリング部材で、前記基台に旋回自在に取付けることを特徴とする射出成形機用旋回板。
【請求項７】
前記旋回板は、前記備品の底面積に対応する大きさの上面を有し、前記基台から突出する部位に、前記備品を止めるための止めボルトを通すボルト穴を有することを特徴とする請求項６記載の射出成形機用旋回板。
【発明の詳細な説明】
【技術分野】
【０００１】
本発明は射出成形機に備える備品、特に竪型射出成形機における操作盤の取付け構造及びそのための旋回板に関する。
【背景技術】
【０００２】
射出成形機は溶融樹脂を高圧で金型内キャビティへ射出して凝固させる機械であるため、各種の温度、圧力、速度、時間を設定する必要があり、これらの設定を行う操作盤を備える。操作盤は見やすいことが操作上重要となる。
【０００３】
操作盤を見やすくするための操作盤取付け構造が各種提案されている（例えば、特許文献１参照。）。
【特許文献１】特開２００２−１５４１３５公報（図４）
【０００４】
特許文献１を次図に基づいて説明する。
図９は従来の技術の基本構成を説明する図であり、基台１０１に、下部腕部１０２、支柱部１０３及び上部腕部１０４からなるコ字フレーム１０５を立て、下部腕部１０２に中空軸１０６を貫通させ、この中空軸１０６に軸受板１０７、１０７を嵌合し、この軸受板１０７、１０７に操作盤１０８の下面を当て、操作盤１０８の上面をボルト１０９で上部腕部１０４に止め、中空軸１０６及びボルト１０９を中心にした鉛直軸廻りに操作盤１０８を回転させ得るように構成したことを特徴とする。
【０００５】
そして、特許文献１の図５によれば、２枚の軸受板１０７、１０７間に凹部と鋼球とばねとからなるクリック機構を介在させる。
すなわち、操作盤１０８は鉛直軸廻りに回すことで取付け角度を変更することができ、変更後はクリック機構で回転止めを図ることができる。
【０００６】
しかし、大型のコ字フレーム１０５が必要であり、射出成形機のコストアップに繋がる。
加えて、クリック機構は拘束力が小さいため、作業者の身体が触れただけで操作盤が回る虞がある。
そのため、特許文献１よりも簡便で且つ回転止めを強化した操作盤の取付け構造が求められる。
【０００７】
簡便な操作盤取付け構造は、各種提案されている（例えば、特許文献２参照。）。
【特許文献２】特開平１１−２１６７５５号公報（図１）
【０００８】
特許文献２を次図に基づいて説明する。
図１０は従来の別の技術の基本構成を説明する図であり、ターンテーブル１１１、タイバー１１２、１１２、１１２及びプラテン（可動盤）１１３を備える基台１１４に、ヒンジ１１５、１１５で箱型の制御装置１１６を止め、この制御装置１１６の一側面に表示部１１７を備える。そして、保守点検の際に、ロック機構１１８を解除し、矢印Ａのごとく、制御装置１１６を旋回させる。すると、表示部１１７は矢印Ｂのごとく旋回する。
【０００９】
矢印Ｂのごとく旋回した後の表示部１１７は見えにくく、操業に支障をきたす。操業中に、操作盤の角度を変更するという場合には、特許文献２の技術は採用できない。
【発明の開示】
【発明が解決しようとする課題】
【００１０】
本発明は、射出成形機において備品を旋回自在に取付ける構造、特に竪型射出成形機においてより簡便で且つ回転止めを強化し得る操作盤の取付け構造を提供することを課題とする。
【課題を解決するための手段】
【００１１】
請求項１に係る発明は、基台に操作盤及び金型を縦方向に開閉するための型締装置を配置した竪型射出成形機において、
前記操作盤の前面が、基台の前辺に揃う位置を第１ポジションと呼び、基台の左辺又は右辺からなる側辺に揃う位置を第２ポジションと呼ぶときに、前記基台に水平旋回自在に旋回板を取付け、この旋回板に前記操作盤を載せることで、操作盤を前記第１ポジションから第２ポジションまで往復移動させることができるようにしたことを特徴とする。
【００１２】
請求項２に係る発明では、旋回板の旋回中心は、基台の隅に設けると共に基台の前辺からの距離と基台の側辺からの距離とを同一に設定したことを特徴とする。
【００１３】
請求項３に係る発明は、旋回板の旋回中心に、配線を通すことができる第１大径穴を設け、基台にも配線を通すことができる第２大径穴を設けたことを特徴とする。
【００１４】
請求項４に係る発明では、旋回板は、リング部材で基台に旋回自在に取付け、このリング部材に配線を通すことができる第３大径穴を設けるとともに、リング部材は操作盤の底に当たらないように旋回板に埋設したことを特徴する。
【００１５】
請求項５に係る発明は、操作盤で塞がれない位置まで旋回板から張出部を張出し、この張出部に摘み付きボルトを取付け、この摘み付きボルトを基台上面に設けた複数個の雌ねじ部の一つにねじ込めるようにしたことを特徴とする。
【００１６】
請求項６に係る発明は、竪型射出成形機又は横型射出成形機の基台に、操作盤などの備品を旋回移動可能に取り付けるときに用いる射出成形機用旋回板において、この旋回板は、旋回中心に上部が大径穴で下部が小径孔である段付き穴を有し、前記大径穴に対応する大径部及び前記小径穴に対応する小径部を有するリング部材で、前記基台に旋回自在に取付けることを特徴とする。
【００１７】
請求項７に係る発明では、旋回板は、備品の底面積に対応する大きさの上面を有し、基台から突出する部位に、備品を止めるための止めボルトを通すボルト穴を有することを特徴とする。
【発明の効果】
【００１８】
請求項１に係る発明では、基台に水平旋回自在に旋回板を取付け、この旋回板に操作盤を載せる。旋回板は操作盤を載せるだけであるから、旋回板の小型化が可能であり、操作盤の取付け構造の簡略化を図ることができる。
【００１９】
加えて、旋回板に載せた操作盤は、それの前面が基台の前辺に揃う第１ポジションと前面が基台の側辺に揃う第２ポジションとの間を旋回させることができる。操作盤の前面が基台の前辺もしくは側辺に揃えば、作業者が操作盤に接触する心配がなくなる。また、基台の前面に自動インサート装置が配置される場合には第２ポジションを選択し、基台の側面に自動インサート装置が配置される場合には第１ポジションを選択すればよく、竪型射出成形機の使い勝手を向上させることができる。
【００２０】
請求項２に係る発明では、旋回板の旋回中心は、基台の隅に設けると共に基台の前辺からの距離と基台の側辺からの距離とを同一に設定したので、操作盤の前面を基台の前辺や側片に容易に揃えることができる。併せて、旋回板の小型化及び軽量化をも達成できる。
【００２１】
請求項３に係る発明は、旋回板の旋回中心に、配線を通すことができる第１大径穴を設け、基台にも配線を通すことができる第２大径穴を設けたので、配線が露出する心配が無く、外観性を高めることができる。
【００２２】
請求項４に係る発明では、旋回板は、リング部材で基台に旋回自在に取付けた。リング部材は必然的に外径が大きくなり、広い面積で旋回板を押さえる。単位面積当たりの反力が小さくなり、無理なく旋回板を基台に保持させることができるとともに、滑らかな旋回性能が得られる。
また、リング部材は操作盤の底に当たらないように旋回板に埋設したので、リング部材の上にも操作盤を配置することができ、リング部材の上方空間を有効に活用することができる。
【００２３】
請求項５に係る発明は、旋回板から操作盤で塞がれない位置まで張出部を張出し、この張出部に摘み付きボルトを取付け、この摘み付きボルトを基台上面に設けた複数個の雌ねじ部の一つにねじ込めるようにした。
旋回板をボルトで基台に接続するため、旋回板を確実に固定することができる。そして、ボルトは摘み付きボルトであって、人の指で回すことができるため、工具なしでボルトの脱着を実施することができる。
【００２４】
請求項６に係る発明は、射出成形機の基台に、操作盤などの備品を旋回移動可能に取り付けるときに用いる旋回板に、旋回中心に上部が大径穴で下部が小径孔である段付き穴を備え、この旋回板を、大径穴に対応する大径部及び小径穴に対応する小径部を有するリング部材で、基台に旋回自在に取付ける。
段付き穴を備える旋回板を、リング部材で基台に止めるだけであるから、備品を簡単に射出成形機の基台に取付けることができ、射出成形機の設備費を低減することができる。
【００２５】
請求項７に係る発明では、旋回板は、備品の底面積に対応する大きさの上面を有し、基台から突出する部位に、備品を止めるための止めボルトを通すボルト穴を有する。
基台から突出した部位にボルト穴を開けたので、基台に取付けた状態の旋回板に備品を着脱することができ、備品の取付けに係る作業工数を低減することができる。
【発明を実施するための最良の形態】
【００２６】
本発明を実施するための最良の形態を添付図に基づいて以下に説明する。なお、図面は符号の向きに見るものとする。
図１は本発明に係る竪型射出成形機の正面図であり、竪型射出成形機１０は、基台１１にターンテーブル１２を配置し、このターンテーブル１２に型締装置１３を配置し、この型締装置１３の上に射出装置１４を配置し、基台１１の隅に操作盤１５を配置してなる。
【００２７】
図２は本発明に係る竪型射出成形機の平面図であり、基台１１は前辺１６に左辺１７及び右辺１８が直交し、前辺１６と右辺１８とが交差する隅に操作盤１５を配置したことを示す。１９、１９は安全機器としての人検知センサである。この操作盤１５の基台１１への取付構造を次に説明する。
【００２８】
図３は本発明に係る操作盤の取付構造を説明する分解斜視図であり、操作盤の取付構造は、基台１１に射出成形機用旋回板２１（以下、旋回板２１と略記する。）を載せ、この旋回板２１をリング部材２２で回転自在に押さえ、このような旋回板２１に操作盤１５を載せる構造にした。
旋回板２１は、操作盤１５の底面の縦横寸法と同じ大きさの矩形部２３に第１大径穴２４を開け、このような矩形部２３から台形状の張出部２５を張出し、この張出部２５に摘み付きボルト２６を通すボルト穴２７を開けてなる。２８、２８はパッド材である。
【００２９】
基台１１の隅には前辺１６からの距離がＡで、右辺１８からの距離がＢの点（旋回中心）２９を中心とする第２大径穴３１を開ける。距離Ａは距離Ｂと同一にすることが望ましい。そして、第２大径穴３１を囲んで雌ねじ部３２・・・（・・・は複数個を示す。以下同様）及び雌ねじ部３３・・・を設ける。
リング部材２２は第３大形穴３４を備えると共に鍔部３５を備える。
【００３０】
距離Ａは距離Ｂと同一にすれば、旋回板２１の幅ＷはＡの２倍とすることができる。第１大径穴２４の中心とエッジとの距離ＹはＡと同一にすればよい。このように、Ａ＝Ｂとしたことで、旋回板２１の形状を簡単に決定することができる。
【００３１】
なお、旋回板２１の矩形部２３は操作盤１５の底面と同一又は小さく設定する。旋回板２１が目立たなくなり、外観性が向上するからである。
【００３２】
また、張出部２５は任意の箇所に設けることができるが、図示したとおりに第１大径穴２４の近傍で且つ操作盤１５の背後に延ばすことが望ましい。摘み付きボルト２６が操作盤１５で隠されるため、外観性を高めることができる。
【００３３】
図４は本発明に係る操作盤の取付構造を説明する断面図であり、基台１１に旋回板２１を載せ、この旋回板２１の第１大径穴２４にリング部材２２を上から嵌合し、このリング部材２２を六角穴付きボルトなどの止めボルト３６、３６で基台１１に固定する。リング部材２２の鍔部３５が第１大径穴２４の段部３７に被さるため、旋回板２１が上へ抜ける心配は無い。
【００３４】
次に、旋回板２１のパッド材２８、２８に操作盤１５を載せる。このときに操作盤１５の底から伸びる電線管（複数本の配線を収納する管）３８は第２大径穴３１及び第３大形穴３４を貫通させる。そして、六角穴付きボルト３９、３９を旋回板２１の下から操作盤１５の底にねじ込む。
これで、操作盤１５を載せた旋回板２１はリング部材２２の廻りを図面表裏方向に移動し得る。
【００３５】
なお、リング部材２２はパッド材２８が存在するため、旋回板２１から数ｍｍ程度上へ突出させたが、パッド材２８がごく薄いとき又はパッド材２８が無いときには、リング部材２２を旋回板２１に完全に埋設する。すなわち、突出させないようにする。
この処理を施すことにより、固定側部材であるリング部材２２の上方に移動側部材である操作盤１５を配置することができる。
【００３６】
また、想像線で示す張出部２５及び摘み付きボルト２６は、正確にはリング部材２２の図面奥くにあるが、便宜上、見やすい位置に示した。
【００３７】
以上の構成からなる旋回板の作用を次に説明する。
図５は本発明に係る操作盤の旋回動作説明図である。
（ａ）における操作盤１５は前面が基台１１の前辺１６に揃っている。この操作盤１５の位置を第１ポジションと呼ぶ。必要があれば、摘み付きボルト２６を外して、矢印のごとく操作盤１５を反時計方向に旋回させる。
【００３８】
（ｂ）における操作盤１５は前面が基台１１の右辺１８に揃っている。この操作盤１５の位置を第２ポジションと呼ぶ。そして、摘み付きボルト２６を取付ける。
（ｃ）は（ａ）と（ｂ）と中間位置に操作盤１５を旋回させたことを示す。
雌ねじ部３３・・・の数だけ設定ポジションを増加することができるが、本例では設定ポジションは３箇所とした。
【００３９】
なお、各ポジションにて摘み付きボルト２６で旋回板２１を基台１１に固定すれば、作業者が接触しても操作盤１５が移動することは無く、安心して操業を続けることができる。
【００４０】
図６は本発明に係る竪型射出成形機の作用説明図である。
（ａ）は、竪型射出成形機１０の右側に自動インサート装置（又は製品取出装置）４１を配置した例を示し、作業者Ｍは主として基台１１の前辺１６に沿って移動する。そこで、操作盤１５は第１ポジション（図５（ａ）参照）に位置を設定する。
【００４１】
（ｂ）竪型射出成形機１０の前側に自動インサート装置（又は製品取出装置）４１を配置した例を示し、作業者Ｍは主として基台１１の右辺１８に沿って移動する。そこで、操作盤１５は第２ポジション（図５（ｂ）参照）に位置を設定する。
この結果、作業者Ｍは容易に操作盤１５を監視し、操作することができる。
【００４２】
本発明に係る旋回板について、説明を加える。
図７は本発明に係る旋回板の断面図であり、旋回板２１は、竪型射出成形機又は横型射出成形機の基台１１に、操作盤などの備品４３を旋回移動可能に取り付けるときに用いる部材であり、旋回中心２９に上部が大径穴４４で下部が小径孔４５である段付き穴４６を有し、大径穴４４に対応する大径部４７及び小径穴４５に対応する小径部４８を有するリング部材２２で、基台１１に旋回自在に取付ける。
そして、旋回板２１は、備品４３の底面積に対応する大きさ（同一若しくは少し小さめ）の上面４９を有し、基台１１から突出する部位５１に、備品４３を止めるための止めボルト３９、３９を通すボルト穴５２、５２を有する。
【００４３】
好ましくは、突出する部位５１は、旋回板２１の下面５３を削るなどして、下面５３と基台１１との間に１．０〜５．０ｍｍ程度の隙間を確保する。旋回板２１が撓んでも下面５３が基台１１の上面に摺る心配が無くなるからである。
また、リング部材２２の上面は、旋回板２１の上面４９より０．３〜１．０ｍｍ下げることが望ましい。備品４３の底面がフラットな場合に対応させることができる。
【００４４】
段付き穴４６を備える旋回板２１を、リング部材２２で基台１１に止めるだけであるから、備品４３を簡単に射出成形機の基台１１に取付けることができ、射出成形機の設備費を低減することができる。
【００４５】
加えて、基台１１から突出した部位５１にボルト穴５２、５２を開けたので、基台１１に取付けた状態の旋回板２１に備品４３を着脱することができ、備品４３の取付けに係る作業工数を低減することができる。
【００４６】
備品４３には旋回頻度の多いものと少ないものとがあり、旋回頻度が少なければ、以上の旋回板２１の取付け構造で十分である。しかし、旋回頻度が多い場合には、次に述べる構造に変更することが望ましい。
【００４７】
図８は図７の変更実施例図であり、図７と共通部分は符号を流用して説明を省略する。すなわち、変更点を述べると、小径部４８を囲う摺り板５５を、旋回板２１の下面５３と基台１１との間に介在させる。摺り板５５は、黄銅板、含油メタル、ポリ４ふっ化エチレンなどの樹脂板が好適である。この摺り板５５を介在させることで、旋回板２１を円滑に旋回させることができると共に、摺り板５５の厚さだけ旋回板２１を上げることができるため、旋回板２１の下面５３は平坦のままで済ませることができる。
【００４８】
また、リング部材２２の大径部４７と小径部４８との境目に水平に摺り板５６を配置し、この摺り板５６で旋回板２１がリング部材２２に沿って円滑に旋回するようにしてもよい。摺り板５６の材質は任意であるが、黄銅板や樹脂板であれば、若干ではあるがクッション性を有する。
【００４９】
仮に、リング部材２２の高さ方向（軸方向）の寸法誤差が過大で、隙気味であれば旋回板２１が上下にガタつく。また、隙間が不足すると、ボルト３６、３６の締め付けにより、固くなり、旋回動作が難しくなる。
この点、圧縮可能な摺り板５６を採用すれば、リング部材２２と旋回板２１との適切な当たりを確保することができ、ガタ付きを防止し、円滑な旋回性を確保することができる。
なお、摺り板５５と摺り板５６との両方を採用するか、又は一方のみを採用するかは任意である。
【００５０】
尚、本発明に係る射出成形機は電動式、油圧式、電動−油圧式のいずれであったもよい。
また、請求項１で「揃う」とは完全に面一にすることの他、ほぼ面一であることも含み、実質的に揃えばよい。
さらに、実施例では操作盤を右辺と前辺とが交わる右隅に配置したが、操作盤は左辺と前辺とが交わる左隅に配置してもよい。すなわち、操作盤は前片と左右何れかの側辺とが交わる箇所に配置する。
【産業上の利用可能性】
【００５１】
本発明は竪型射出成形機の操作盤の取付け構造に好適である。
【図面の簡単な説明】
【００５２】
【図１】本発明に係る竪型射出成形機の正面図である。
【図２】本発明に係る竪型射出成形機の平面図である。
【図３】本発明に係る操作盤の取付構造を説明する分解斜視図である。
【図４】本発明に係る操作盤の取付構造を説明する断面図である。
【図５】本発明に係る操作盤の旋回動作説明図である。
【図６】本発明に係る竪型射出成形機の作用説明図である。
【図７】本発明に係る旋回板の断面図である。
【図８】図７の変更実施例図である。
【図９】従来の技術の基本構成を説明する図である。
【図１０】従来の別の技術の基本構成を説明する図である。
【符号の説明】
【００５３】
１０…竪型射出成形機、１１…基台、１３…型締装置、１４…射出装置、１５…操作盤、１６…基台の前辺、１７…基台の左辺、１８…基台の右辺、２１…射出成形機用旋回板（旋回板）、２２…リング部材、２４…第１大径穴、２５…張出部、２６…摘み付きボルト、２９…点（旋回中心）、３１…第２大径穴、３３…雌ねじ部、３４…第３大径穴、３８…電線管、４３…備品、４４…旋回板に有する大径穴、４５…旋回板に有する小径穴、４６…旋回板に有する段付き穴、４７…リング部材に有する大径部、４８…リング部材に有する小径部、４９…旋回板の上面、５１…基台から突出する部位、５２…突出する部位に開けたボルト穴、Ａ、Ｂ…前辺又は右辺から旋回中心までの距離。
【図１】
2007069481.tif 000003
【図２】
2007069481.tif 000004
【図３】
2007069481.tif 000005
【図４】
2007069481.tif 000006
【図５】
2007069481.tif 000007
【図６】
2007069481.tif 000008
【図７】
2007069481.tif 000009
【図８】
2007069481.tif 000010
【図９】
2007069481.tif 000011
【図１０】
2007069481.tif 000012